(57)【要約】【課題】従来技術のシングル／ダイバシティ受信方式切替え制御では、ＣＮＲ（搬送波対雑音比）等の受信品質によってシングル受信とダイバシティ受信を切替えるため、受信品質を検出する回路が必要であり、受信品質が切替え閾値付近の場合に切替え動作が正確に行われないという課題があった。【解決手段】本発明のダイバシティ受信装置は有線入力端子受信の際に入力切替スイッチの切替え状態を入力切替スイッチ制御部を介して受信処理制御部が検出し、受信処理制御部が第２の受信処理部の信号処理を停止する。このように入力切替スイッチの切替え状態のみを検出して省電力動作を行うため、ＣＮＲ等の受信品質を検出して省電力動作を行う従来技術と比較して、受信品質が切替え閾値付近にある場合においても有線入力端子受信の際には確実に省電力化を行うことが可能となる。【選択図】図１
2010272914.tif 000002
【特許請求の範囲】
【請求項１】
電波信号を受信する第１のアンテナ、および第２のアンテナと、
前記第１および第２のアンテナで受信した電波をそれぞれ復調する第１の受信処理部、および第２の受信処理部と、
前記第１の受信処理部へ有線で外部から信号を入力する有線入力端子と、
前記有線入力端子の入力信号と前記第１のアンテナの入力信号とを排他的に切替える入力切替スイッチと、
前記第２の受信処理部の動作を制御し、前記入力切替スイッチが有線入力である場合に、前記第２の受信処理部の信号処理を停止する受信処理制御部と、
前記入力切替スイッチが前記第１のアンテナからの入力である場合に、前記第１の受信処理部と、前記受信処理制御部により動作された前記第２の受信処理部からの入力信号をダイバシティ合成するダイバシティ合成部と、
を備えることを特徴とするダイバシティ受信装置。
【請求項２】
前記入力切替スイッチが有線入力である場合に、さらに前記ダイバシティ合成部の合成処理を停止するダイバシティ合成制御部と、
を備えた請求項１に記載のダイバシティ受信装置。
【請求項３】
電波信号を受信する３つ以上のアンテナと、
前記３つ以上のアンテナで受信した電波をそれぞれ復調する３つ以上の受信処理部と、
前記３つ以上の受信処理部のうちの１つへ有線で外部から信号を入力する有線入力端子と
を有する請求項１または２に記載のダイバシティ受信装置。
【請求項４】
電波信号を受信する第１のアンテナ、および第２のアンテナと、
前記第１および第２のアンテナで受信した電波をそれぞれ復調する第１の受信処理部、および第２の受信処理部と、
前記第１の受信処理部へ有線で外部から信号を入力する有線入力端子と、
前記第２の受信処理部への電源供給を制御し、前記入力切替スイッチが有線入力である場合に、前記第２の受信処理部への電源供給を停止する電源制御部と、
前記入力切替スイッチが前記第１のアンテナからの入力である場合に、前記第１の受信処理部と、前記電源制御部により電源供給された前記第２の受信処理部からの入力信号をダイバシティ合成するダイバシティ合成部と、
を備えることを特徴とするダイバシティ受信装置。 
【請求項５】
前記入力切替スイッチが有線入力である場合に、さらに前記ダイバシティ合成部の合成処理を停止するダイバシティ合成制御部と、
を備えた請求項４に記載のダイバシティ受信装置。
【請求項６】
電波信号を受信する３つ以上のアンテナと、
前記３つ以上のアンテナで受信した電波をそれぞれ復調する３つ以上の受信処理部と、
を有する請求項４または５に記載のダイバシティ受信装置。
【請求項７】
電波信号を受信する前記第１のアンテナ、および前記第２のアンテナと、
前記第１および第２のアンテナで受信した電波をそれぞれ復調する前記第１の受信処理部、および前記第２の受信処理部と、
前記第１の受信処理部へ有線で外部から信号を入力する前記有線入力端子と、
前記有線入力端子の入力信号と前記第１のアンテナの入力信号とを排他的に切替える前記入力切替スイッチと、
前記第１の受信処理部と前記第２の受信処理部からの入力信号をダイバシティ合成する前記ダイバシティ合成部と、
を備えたダイバシティ受信装置におけるシングル受信とダイバシティ受信の受信方式切替え方法において、
前記入力切替スイッチが有線入力である場合に、前記第１の受信処理部からの入力信号のみを使用するシングル受信に切り替え、
前記入力切替スイッチが前記第１のアンテナからの入力である場合に、前記第１の受信処理部と前記第２の受信処理部からの入力信号の両方を使用するダイバシティ受信に切り替えることを特徴とする受信方式切替え方法。
【請求項８】
電波信号を受信する前記３つ以上のアンテナと、
前記３つ以上のアンテナで受信した電波をそれぞれ復調する前記３つ以上の受信処理部と、
前記３つ以上の受信処理部のうちの１つへ有線で外部から信号を入力する前記有線入力端子と
を有する請求項７に記載の受信方式切替え方法。
【発明の詳細な説明】
【技術分野】
【０００１】
本発明はダイバシティ受信装置および受信方式切替え方法に関する。
【背景技術】
【０００２】
近年、放送、通信のデジタル化が進んでいる。デジタル化によって信号処理回路のＬＳＩ化が容易になり、装置の小型化、軽量化が進み、携帯電話、携帯型テレビ等の携帯機器が広く普及している。携帯機器の電源は多くの場合、充電式電池であり、長時間動作のためには機器自体の消費電力を下げることが重要となっている。
【０００３】
特許文献１には複数のアンテナを用いたダイバシティ受信装置において、受信品質に基づきアンテナ受信処理部への電源供給ＯＮ／ＯＦＦを制御し省電力化を図る技術が開示されている。特許文献１では、受信品質と受信方式切替閾値とを比較し、受信品質が受信方式切替閾値以上のときは複数系列のアンテナと、無線復調部と、復号部と、を備える受信部のうち、いずれか１つの系統の受信部を使用するシングル受信に切替えると共に、使用しない残りの受信部の系列の電源をオフにし、受信品質が受信方式切替閾値未満の場合は、両方のブランチのアンテナと無線復調部と復号部を使用するダイバシティ受信に切替える、技術が開示されている。特許文献１では、受信率に応じてダイバシティ受信を起動するか否かの判定基準となる閾値を更新するので、ダイバシティ受信とシングル受信との切替精度が向上し、これによって省電力化が図れ、携帯電話などの小型電子機器に適用した場合にバッテリ持続時間を長くすることが可能となる。
【先行技術文献】
【特許文献】
【０００４】
【特許文献１】国際公開第２００７／１１３９０２号
【発明の概要】
【発明が解決しようとする課題】
【０００５】
しかしながら従来のシングル／ダイバシティ受信方式切替え制御では、ＣＮＲ（搬送波対雑音比）等の受信品質によってシングル受信とダイバシティ受信を切替えるため、受信品質を検出する回路が必要であり、受信品質が切替え閾値付近の場合に切替え動作が正確に行われないという課題があった。
【０００６】
そこで本発明は、上記課題を解決すべく、受信品質に影響されないより確実な方法でシングル／ダイバシティ受信の切替えを行い、省電力化を図ることを目的とする。
【課題を解決するための手段】
【０００７】
本発明のダイバシティ受信装置は、電波信号を受信する第１のアンテナ、および第２のアンテナと、前記第１および第２のアンテナで受信した電波をそれぞれ復調する第１の受信処理部、および第２の受信処理部と、前記第１の受信処理部へ有線で外部から信号を入力する有線入力端子と、前記有線入力端子の入力信号と前記第１のアンテナの入力信号とを排他的に切替える入力切替スイッチと、前記第２の受信処理部の動作を制御し、前記入力切替スイッチが有線入力である場合に、前記第２の受信処理部の信号処理を停止する受信処理制御部と、前記入力切替スイッチが前記第１のアンテナからの入力である場合に、前記第１の受信処理部と、前記受信処理制御部により動作された前記第２の受信処理部からの入力信号をダイバシティ合成するダイバシティ合成部と、を備えるものである。
【０００８】
このような構成により、入力切替スイッチの切替え状態に基づいてシングル／ダイバシティ受信を切替えるため、受信品質に影響されないより確実な方法で受信方式の切替えを行い、省電力化を実現することができる。
【０００９】
さらに上記の発明において、前記ダイバシティ合成部の動作を制御し、前記入力切替スイッチが有線入力である場合に、前記ダイバシティ合成部の合成処理を停止するダイバシティ合成制御部を備えることを特徴とするものであってもよい。
【００１０】
この場合は、第２の受信処理部の信号処理に加えてダイバシティ合成部の合成処理も停止することができるため、更なる省電力化を実現することができる。
【００１１】
さらに上記の発明において、前記第２の受信処理部への電源供給を制御し、前記入力切替スイッチが有線入力である場合に、前記第２の受信処理部への電源供給を停止する電源制御部を前記受信処理制御部の替わりに備えることを特徴とするものであってもよい。 
【００１２】
この場合は、第２の受信処理部の電源供給自体を停止することができるため、信号処理を停止する場合と比較して更なる省電力化を実現することができる。
【発明の効果】
【００１３】
以上のように本発明のダイバシティ受信装置によれば、入力切替スイッチの切替え状態に基づいてシングル／ダイバシティ受信を切替えるため、受信品質に影響されないより確実な方法で受信方式の切替えを行い、省電力化を実現することができる。
【図面の簡単な説明】
【００１４】
【図１】実施の形態１におけるダイバシティ受信装置の構成を示すブロック図
【図２】実施の形態１におけるダイバシティ受信装置の動作を示すフローチャート
【図３】実施の形態２におけるダイバシティ受信装置の構成を示すブロック図
【図４】実施の形態２におけるダイバシティ受信装置の動作を示すフローチャート
【図５】実施の形態３におけるダイバシティ受信装置の構成を示すブロック図
【図６】実施の形態３におけるダイバシティ受信装置の動作を示すフローチャート
【発明を実施するための形態】
【００１５】
（実施の形態１）
本発明の実施の形態１にかかるダイバシティ受信装置は、入力切替スイッチの切替え状態に基づいて受信方式の切替えを行い、有線入力の場合はアンテナから受信した信号の信号処理を停止させることにより省電力化を図る。
【００１６】
図１は実施の形態１におけるダイバシティ受信装置１００の構成を示すブロック図である。本実施の形態のダイバシティ受信装置は、例えば地上デジタル放送を受信可能なものであり、放送局等から送信された放送波の受信手段として第１のアンテナ１１０、第２のアンテナ１９０と屋上等に設置された外部アンテナで受信した信号を有線で入力する有線入力端子１２０とを有する。入力切替スイッチ１３０は第１のアンテナ１１０と有線入力端子１２０とから受信する信号を排他的に切替えるＲＦ（Ｒａｄｉｏ  Ｆｒｅｑｕｅｎｃｙ）スイッチであり、入力切替スイッチ制御部１４０は入力切替スイッチ１３０の切替え制御を行う。
【００１７】
選局部１５０および２００では、それぞれ第１のアンテナ１１０または有線入力端子１２０、および第２のアンテナ１９０にて受信した高周波（ＲＦ）信号から希望の物理チャンネルが選局される。その後、復調部１６０および２１０にてベースバンド信号への周波数変換、アナログ信号からデジタル信号へのＡＤ変換が行われる。
【００１８】
第１のアンテナ１１０または有線入力端子１２０から受信された信号を処理する選局部１５０、復調部１６０をまとめて第１の受信処理部１７０、第２のアンテナ１９０から受信された信号を変換する選局部２００、復調部２１０をまとめて第２の受信処理部２２０と呼ぶ。
【００１９】
第１の受信処理部１７０および第２の受信処理部２２０から出力される信号に対してダイバシティ合成部２３０にて最大比合成等のダイバシティ合成処理を行い、マルチパスやフェージングの影響による信号の劣化を改善する。信号処理部２４０ではダイバシティ合成部出力信号のデコード処理、映像信号のサイズ調整、画質調整、音声信号のアナログ信号変換等の信号処理を行い、映像表示部２５０にて映像表示、音声出力部２６０にて音声出力を行う。
【００２０】
受信処理制御部１８０は入力切替スイッチ制御部１４０から検出した入力切替スイッチ１３０の切替え状態をもとに、第２の受信処理部２２０の動作を制御する。つまり、入力切替スイッチ１３０が有線入力端子１２０の受信信号を排他的に通過させる場合には、第２の受信処理部２２０の信号処理を停止させ、第２の受信処理部２２０での不必要な電力消費を抑制する。一方、入力切替スイッチ１３０が第１のアンテナ１１０受信信号を排他的に通過させる場合には、第２の受信処理部２２０も第１の受信処理部１７０と同様に信号処理を行う。省電力化動作の詳細については後述する。
【００２１】
上記のように構成された本発明のダイバシティ受信装置１００の動作について、図２を参照しながら説明する。
【００２２】
入力切替スイッチ制御部１４０にて、第１のアンテナ１１０受信信号と有線入力端子１２０受信信号の通過を排他的に切替える入力切替スイッチ１３０の切替え制御を行う。そして、入力切替スイッチ制御部１４０の切替え状態を受信処理制御部１８０にて検出する（ステップＳ１０）。
【００２３】
検出結果が、有線入力端子１２０受信ではない場合（第１のアンテナ１１０受信信号を排他的に通過させる場合）は、第１のアンテナ１１０受信信号は第１の受信処理部１７０、第２のアンテナ１９０受信信号は第２の受信処理部２２０の両方にて受信信号の復調処理が行われる（ステップＳ１１）。
【００２４】
そして、第１の受信処理部１７０出力信号および第２の受信処理部２２０出力信号を用いてダイバシティ合成部２３０にて最大比合成などによるダイバシティ合成処理が行われる（ステップＳ１２）。このダイバシティ合成処理により、受信特性の優れた部分を最大限に活用すると共にマルチパスやフェージングの影響を抑えた良好な合成信号を得ることができる。
【００２５】
ダイバシティ合成部２３０から出力された信号は信号処理部２４０にてデコード処理、映像信号のサイズ調整、画質調整、音声信号のアナログ信号変換等の信号処理が行われ、ＬＣＤ（Ｌｉｑｕｉｄ  Ｃｒｙｓｔａｌ  Ｄｉｓｐｌａｙ）パネル等の映像表示部２５０にて映像表示、スピーカ等の音声出力部２６０にて音声出力が行われる（ステップＳ１３）。
【００２６】
一方、入力切替スイッチ制御部１４０の切替え状態を検出し（ステップＳ１０）、有線入力端子１２０受信の場合は、受信処理制御部１８０により第２の受信処理部２２０の信号処理が停止される（ステップＳ１４）。
【００２７】
そして、有線入力端子１２０により受信された信号は第１の受信処理部１７０にて復調処理が行われダイバシティ合成部２３０へ出力される。他方、第２のアンテナ１９０により受信された信号は第２の受信処理部２２０での信号処理が停止され、ダイバシティ合成部２３０への信号出力も行われない（ステップＳ１５）。これにより第２の受信処理部２２０での不必要な電力消費を抑制することができる。
【００２８】
ダイバシティ合成部２３０では第１の受信処理部１７０出力信号と第２の受信処理部２２０出力信号（無信号）のダイバシティ合成処理が行われる。最大比合成処理は合成後のＳＮＲ（信号対雑音比）が最良となるように各ブランチの振幅にウエイトをかけて合成する方法であり、無信号つまり振幅がゼロの信号は理論上、合成処理には寄与しないことになる。
【００２９】
そして、ダイバシティ合成部２３０から出力された信号に対して信号処理部２４０にて信号処理、映像表示部２５０にて映像表示、音声出力部２６０にて音声出力が行われる（ステップＳ１３）。
【００３０】
以上のように本発明の実施の形態１によれば、ダイバシティ受信装置は有線入力端子１２０受信の際に、入力切替スイッチ１３０の切替え状態を、受信処理制御部１８０が入力切替スイッチ制御部１４０を介して検出し、受信処理制御部１８０が第２の受信処理部２２０の信号処理を停止する。
【００３１】
このように入力切替スイッチ１３０の切替え状態のみを検出して省電力動作を行うため、ＣＮＲ（搬送波対雑音比）等の受信品質を検出して省電力動作を行う従来技術と比較して、受信品質が切替え閾値付近にある場合においても有線入力端子１２０受信の際には確実に省電力化を行うことが可能となる。
【００３２】
さらに、第１のアンテナ１１０と有線入力端子１２０にて受信した信号の受信処理部を兼用することにより、装置に必要な受信処理部の数を削減することができ、装置の簡易化を図ることができる。
【００３３】
（実施の形態２）
本発明の実施の形態２にかかるダイバシティ受信装置は、入力切替スイッチの切替え状態に基づいて受信方式の切替えを行い、有線入力の場合はアンテナから受信した信号の信号処理を停止するとともに、ダイバシティ合成処理も停止することにより更なる省電力化を図る。
【００３４】
図３は実施の形態２におけるダイバシティ受信装置３００の構成を示すブロック図である。なお、実施の形態１と同様の構成を有するものについては同一符号を付し、その説明を省略する。
【００３５】
図３において実施の形態１と相違する構成について説明する。ダイバシティ合成制御部３１０は入力切替スイッチ制御部１４０から検出した入力切替スイッチ１３０の切替え状態をもとに、第２の受信処理部２２０に加えてダイバシティ合成部２３０の動作も制御する。つまり、入力切替スイッチ１３０が有線入力端子１２０の受信信号を排他的に通過させる場合には、第２の受信処理部２２０での信号処理を停止するとともに、ダイバシティ合成部２３０でのダイバシティ合成処理も停止し、第１の受信処理部１７０の出力信号をスルーし信号処理部２４０に入力する。これにより、ダイバシティ合成部２３０での不必要な電力消費を抑制する。一方、入力切替スイッチ１３０が第１のアンテナ１１０受信信号を排他的に通過させる場合には、第２の受信処理部２２０で信号処理を行うとともに、ダイバシティ合成部２３０でも合成処理を行う。省電力化動作の詳細については後述する。
【００３６】
上記のように構成された本発明のダイバシティ受信装置３００の動作について、図４を参照しながら説明する。
【００３７】
入力切替スイッチ制御部１４０にて、第１のアンテナ１１０受信信号と有線入力端子１２０受信信号の通過を排他的に切替える入力切替スイッチ１３０の切替え制御を行う。そして、入力切替スイッチ制御部１４０の切替え状態を受信処理制御部１８０にて検出する（ステップＳ２０）。
【００３８】
検出結果が、有線入力端子１２０受信ではない場合（第１のアンテナ１１０受信信号を排他的に通過させる場合）は、第１のアンテナ１１０受信信号は第１の受信処理部１７０、第２のアンテナ１９０受信信号は第２の受信処理部２２０の両方にて受信信号の復調処理が行われる（ステップＳ２１）。
【００３９】
そして、第１の受信処理部１７０出力信号および第２の受信処理部２２０出力信号を用いてダイバシティ合成部２３０にて最大比合成などによるダイバシティ合成処理が行われる（ステップＳ２２）。このダイバシティ合成処理により、受信特性の優れた部分を最大限に活用すると共にマルチパスやフェージングの影響を抑えた良好な合成信号を得ることができる。
【００４０】
ダイバシティ合成部２３０から出力された信号は信号処理部２４０にてデコード処理、映像信号のサイズ調整、画質調整、音声信号のアナログ信号変換等の信号処理が行われ、ＬＣＤパネル等の映像表示部２５０にて映像表示、スピーカ等の音声出力部２６０にて音声出力を行われる（ステップＳ２３）。
【００４１】
一方、入力切替スイッチ制御部１４０の切替え状態を検出し（ステップＳ２０）、有線入力端子１２０受信の場合は、受信処理制御部１８０により第２の受信処理部２２０の信号処理が停止される（ステップＳ２４）。
【００４２】
そして、有線入力端子１２０により受信された信号は第１の受信処理部１７０にて復調処理が行われダイバシティ合成部２３０へ出力される。他方、第２のアンテナ１９０により受信された信号は第２の受信処理部２２０での信号処理が停止され、ダイバシティ合成部２３０への信号出力も行われない（ステップＳ２５）。これにより第２の受信処理部２２０での不必要な電力消費を抑制することができる。
【００４３】
そして、ダイバシティ合成部２３０は入力切替スイッチ制御部１４０から有線入力端子１２０受信であることを検出し、ダイバシティ合成処理を停止し、第１の受信処理部１７０の出力信号をスルーし信号処理部２４０に出力する。そして、ダイバシティ合成部２３０をスルーした信号に対して信号処理部２４０にて信号処理、映像表示部２５０にて映像表示、音声出力部２６０にて音声出力が行われる（ステップＳ２３）。これにより、第２の受信処理部２２０に加えてダイバシティ合成部２３０でも不必要な電力消費を抑制することができる。
【００４４】
以上のように、本発明の実施の形態１によれば、ダイバシティ受信装置は、有線入力端子１２０受信の際に入力切替スイッチ１３０の切替え状態を入力切替スイッチ制御部１４０を介して受信処理制御部１８０が検出し、受信処理制御部１８０により第２の受信処理部２２０の信号処理、ダイバシティ合成制御部３１０によりダイバシティ合成部２３０の合成処理が停止される。
【００４５】
第２の受信処理部２２０の信号処理のみを停止する実施の形態１に加えて、ダイバシティ合成部２３０の合成処理も停止することにより、更なる省電力化を実現することができる。
【００４６】
また、有線入力端子１２０受信の際にダイバシティ合成処理を停止し第１の受信処理部１７０出力信号をダイバシティ合成部２３０でスルーして信号処理部２４０で用いるため、第２の受信処理部２２０出力信号（無信号）に飛び込むノイズとの不必要なダイバシティ合成の影響を受けることがなく、信号処理部２４０入力信号の劣化を防ぐことができる。
【００４７】
（実施の形態３）
本発明の実施の形態３にかかるダイバシティ受信装置は、入力切替スイッチの切替え状態に基づいて受信方式の切替えを行い、有線入力の場合はアンテナから受信した信号の信号処理部への電源供給を停止することにより更なる省電力化を図る。
【００４８】
図５は実施の形態３におけるダイバシティ受信装置４００の構成を示すブロック図である。なお、実施の形態１と同様の構成を有するものについては同一符号を付し、その説明を省略する。
【００４９】
図５において実施の形態１と相違する構成について説明する。電源制御部４１０は入力切替スイッチ制御部１４０から検出した入力切替スイッチ１３０の切替え状態をもとに、第２の受信処理部２２０への電源供給を制御する。つまり、入力切替スイッチ１３０が有線入力端子１２０の受信信号を排他的に通過させる場合には、第２の受信処理部２２０への電源供給を停止し、第２の受信処理部２２０での不必要な電力消費を抑制する。一方、入力切替スイッチ１３０が第１のアンテナ１１０受信信号を排他的に通過させる場合には、第２の受信処理部２２０への電源供給を行う。省電力化動作の詳細については後述する。
【００５０】
上記のように構成された本発明のダイバシティ受信装置４００の動作について、図６を参照しながら説明する。
【００５１】
入力切替スイッチ制御部１４０にて、第１のアンテナ１１０受信信号と有線入力端子１２０受信信号の通過を排他的に切替える入力切替スイッチ１３０の切替え制御を行う。
【００５２】
そして、入力切替スイッチ制御部１４０の切替え状態を受信処理制御部１８０にて検出する（ステップＳ３０）。
【００５３】
検出結果が、有線入力端子１２０受信ではない場合（第１のアンテナ１１０受信信号を排他的に通過させる場合）は、第１のアンテナ１１０受信信号は第１の受信処理部１７０、第２のアンテナ１９０受信信号は第２の受信処理部２２０の両方にて受信信号の復調処理が行われる（ステップＳ３１）。
【００５４】
そして、第１の受信処理部１７０出力信号および第２の受信処理部２２０出力信号を用いてダイバシティ合成部２３０にて最大比合成などによるダイバシティ合成処理が行われる（ステップＳ３２）。このダイバシティ合成処理により、受信特性の優れた部分を最大限に活用すると共にマルチパスやフェージングの影響を抑えた良好な合成信号を得ることができる。
【００５５】
ダイバシティ合成部２３０から出力された信号は信号処理部２４０にてデコード処理、映像信号のサイズ調整、画質調整、音声信号のアナログ信号変換等の信号処理が行われ、ＬＣＤパネル等の映像表示部２５０にて映像表示、スピーカ等の音声出力部２６０にて音声出力が行われる（ステップＳ３３）。
【００５６】
一方、入力切替スイッチ制御部１４０の切替え状態を検出し（ステップＳ３０）、有線入力端子１２０受信の場合は、電源制御部４１０により第２の受信処理部２２０への電源供給が停止される（ステップＳ３４）。
【００５７】
そして、有線入力端子１２０により受信された信号は第１の受信処理部１７０にて復調処理が行われダイバシティ合成部２３０へ出力される。他方、第２のアンテナ１９０により受信された信号は第２の受信処理部２２０での信号処理が停止され、ダイバシティ合成部への信号出力も行われない（ステップＳ３５）。これにより第２の受信処理部２２０での不必要な電力消費を抑制することができる。
【００５８】
ダイバシティ合成部２３０では第１の受信処理部１７０出力信号と第２の受信処理部２２０出力信号（無信号）のダイバシティ合成処理が行われる。最大比合成処理は合成後のＳＮＲ（信号対雑音比）が最良となるように各ブランチの振幅にウエイトをかけて合成する方法であり、無信号つまり振幅がゼロの信号は理論上、合成処理には寄与しないことになる。
【００５９】
そして、第１のアンテナ１１０受信の場合と同様に、ダイバシティ合成部２３０から出力された信号に対して信号処理部２４０にて信号処理、映像表示部２５０にて映像表示、音声出力部２６０にて音声出力が行われる（ステップＳ３３）。
【００６０】
以上のように、本発明の実施の形態３によれば、ダイバシティ受信装置は、有線入力端子１２０受信の際に、入力切替スイッチ１３０の切替え状態を、電源制御部４１０が入力切替スイッチ制御部１４０を介して検出し、電源制御部４１０により第２の受信処理部２２０への電源供給を停止し、第２の受信処理部２２０での信号処理が停止される。
【００６１】
第２の受信処理部２２０への電源供給自体を停止することにより、信号処理のみを停止する実施の形態１と比較して更なる省電力化を実現することができる。
【００６２】
なお、本発明の実施の形態３において実施の形態２と同様に、有線入力端子１２０受信の際に入力切替スイッチ１３０の切替え状態を入力切替スイッチ制御部１４０を介してダイバシティ合成制御部が検出し、ダイバシティ合成制御部によりダイバシティ合成部２３０の合成処理を停止する構成としてもよい。
【００６３】
この場合は、第２の受信処理部２２０への電源供給を停止することに加えて、ダイバシティ合成部２３０の合成処理も停止することにより、更なる省電力化を実現することができる。
また、有線入力端子１２０受信の際にダイバシティ合成処理を停止し第１の受信処理部１７０出力信号をダイバシティ合成部２３０でスルーして信号処理部２４０で用いるため、第２の受信処理部２２０出力信号（無信号）に飛び込むノイズとの不必要なダイバシティ合成の影響を受けることがなく、信号処理部２４０入力信号の劣化を防ぐことができる。
【００６４】
（他の実施の形態）
以上、本発明の実施の形態として、実施の形態１から３を例示して説明した。しかし、本発明はこれらには限定されない。そこで、本発明の他の実施の形態を以下に説明する。
上記実施の形態１から３では、地上デジタル放送などのテレビ放送波を受信するダイバシティ受信装置において省電力化を図る方法について説明した。しかし、本発明はこれには限定されない。例えば、無線ＬＡＮ信号などの他の高周波信号を受信する装置に関しても本発明の実施の形態１から３と同様の方法を用いることにより、省電力化を行うことが可能である。
【００６５】
また、上記実施の形態１から３では、放送局等から送信された放送波の無線受信手段として第１のアンテナ１１０、第２のアンテナ１９０の２つのアンテナを有する場合について説明した。しかし、本発明はこれに限定されず、３つ以上のアンテナを有するダイバシティ受信装置に関しても本発明の実施の形態１から３と同様の方法を用いることにより、省電力化を実現することができる。
【００６６】
３つ以上のアンテナを有するダイバシティ受信装置では、有線入力端子１２０受信の場合に２組以上の受信処理部の信号処理、およびダイバシティ合成処理を停止することが可能となるため、更なる省電力化を実現することができる。
【産業上の利用可能性】
【００６７】
本発明によれば、無線受信器であるアンテナと有線入力端子とを有するダイバシティ受信装置において省電力化を実現することができるため、持ち運び可能な受信装置等において有用である。
【符号の説明】
【００６８】
１００、３００、４００    ダイバシティ受信装置
１１０    第１のアンテナ
１２０    有線入力端子
１３０    入力切替スイッチ
１４０    入力切替スイッチ制御部
１５０、２００    選局部
１６０、２１０    復調部
１７０    第１の受信処理部
１８０    受信処理制御部
１９０    第２のアンテナ
２２０    第２の受信処理部
２３０    ダイバシティ合成部
２４０    信号処理部
２５０    映像表示部
２６０    音声出力部
３１０    ダイバシティ合成制御部
４１０    電源制御部
【図１】
2010272914.tif 000003
【図２】
2010272914.tif 000004
【図３】
2010272914.tif 000005
【図４】
2010272914.tif 000006
【図５】
2010272914.tif 000007
【図６】
2010272914.tif 000008